(57)【特許請求の範囲】
【請求項１】
少なくとも、レンズと、ビューファインダーと、操作ボタン群を備えたカメラ本体部と、該カメラ本体部に対して開閉または回転自在に設けられバッテリー収納部を兼ねたグリップ部とを備え、
前記バッテリー収納部は、カメラ本体部に対して一つの側面に回転軸を介して垂直方向に回転自在に設けられ、
且つ設定された位置でロック状態に維持されるロック機構を備えた磁気記録再生装置であって、
前記カメラ本体部におけるカセットテープのセット機構部は、前記グリップ部を納めた時に隠される位置に設けてあること
を特徴とする磁気記録再生装置。
【請求項２】
前記グリップ部に対して
バッテリーを外付け状態で取り付けること
を特徴とする請求項１に記載の磁気記録再生装置。
【請求項３】
設定された位置は、
グリップ部の収納位置と、使用位置と、カセットテープの出し入れ位置であること
を特徴とする請求項１に記載の磁気記録再生装置。
【請求項４】
ロック機構は、
少なくとも、ロック爪部材を備えた摺動リングと、該ロック爪部材が係合する切り欠き部を複数個備えたロックディスクとからなること
を特徴とする請求項１に記載の磁気記録再生装置。
【請求項５】
ロック状態を解除できるロック操作ボタンを設けたこと
を特徴とする請求項１または４に記載の磁気記録再生装置。
【発明の詳細な説明】
【０００１】
【発明の属する技術分野】
本発明は、例えば、カメラ本体部に対して開閉または回転自在に取り付けられたグリップ部を有するデジタルカメラまたはビデオ一体型カメラ等の磁気記録再生装置に関するものである。
【０００２】
【従来の技術】
従来この種の開閉または回転自在なグリップ部を有するビデオ一体型カメラとしては、例えば、特開平６−１３３１９７号公報に開示された構成のものが公知になっている。この公知のビデオ一体型カメラにおける発明は、一般的なカメラがその本体部を片手でホールディングするようにしていることで、本来の構成部品の実装スペース以外に、ホールディングのための人の手のサイズに依存したスペースが幅方向に必要であるために薄型化ができないこと、および、片手でカメラをホールディングしていることによりカメラ操作時に振れが生じやすいこと、の課題を解決しようとするものである。
【０００３】
そのための具体的構成として、カメラ部、デッキ部が含まれた本体筐体の前部に、独立したグリップ部を水平方向に回転可能に装着した構成を有するものであり、そのグリップ部は、前部と側面部のそれぞれの位置で固定できるようにしたものであって、このようなグリップ部を設けたことにより、人の手のサイズに依存したホールディングのための横方向のスペースが不要になり、本体筐体を薄型化できるというものである。
【０００４】
また、この回転可能なグリップ部においては、グリップ部に電源用バッテリーを装着すること、グリップ部の回転に連動して電源を入／切させること、グリップ部にレンズカバーの機能をもたせたこと、グリップ部にマイクを内蔵すると共に、グリップ部にスタートスイッチとズームスイッチとを設けた構成にしたものである。
【０００５】
そして、実際の使用においては、本体筐体からグリップ部を横に開いて固定することによってレンズ部を露出させると共に、駆動用の電源がオンになり、グリップ部に設けたスタートスイッチおよびズームスイッチを操作するというものであり、グリップ部が横方向に開いた状態で突出して固定され、そのグリップ部を一方の手で横方向から摘むように握り、他方の手を本体筐体に添えてズームスイッチを操作できるので、手振れが生じないというものである。
【０００６】
【発明が解決しようとする課題】
しかしながら、この従来例のビデオ一体型カメラにおいては、人の手のサイズに依存したホールディングのための横方向のスペースなくして、単に本体筐体を薄型化できるというだけのものであって、前面側に開閉できるように設けたグリップ部を開いた状態に固定しても、手の平で指が一回りするようにグリップ部を握ることができず、一方の側から指先に力を入れて摘むようにして保持しなければならないのであり、このように指先に力を入れて摘むように保持することは、それ程長時間でなくても疲労度が激しいものであって、必然的に両手を添えないと安定した保持はできないのである。要するに、片手での持ち難さという点では却って一般的ビデオ一体型カメラに比べて劣るのである。
【０００７】
また、グリップ部を安定して握るためとスタートスイッチおよびズームスイッチを設けるためには、ある程度の長さと厚みとが必要になるのであり、却ってその分だけ上下方向の高さと前後方向の長さとが必要になるのであり、薄型化ができても実質的な小型化は図られていないのである。
【０００８】
そして、前面側にグリップ部を設けてレンズカバー機能と開閉による回転に連動して電源を入／切する機能とをもたせた構成は、本体筐体からグリップ部を完全に開いた状態にしないと使用できないのであり、使用態様が一つのパターンに限定されてしまうという不都合もある。
【０００９】
また、開閉可能なグリップ部を有さないで、一般的にカメラ本体部の右側を手の平で覆うように保持するビデオ一体型カメラにおいて、全体を小型化することは容易であるが、小型化することによって、カメラ本体部を保持する手の指がカメラ本体部の左側まで届いてしまい、本来カメラ本体部の右側に設けてある操作スイッチまたはボタン群を通り越してしまう状態になり、却って操作し難い構成になってしまうという問題点を有する。
【００１０】
更に、カメラ本体部を小型化することによって、バッテリー、液晶パネル、カセット挿着部、操作スイッチ群等の各デバイス類を配設する表面積が減ってくることになり、その限られた表面積の中で、各デバイス類を効率よく配置しようとすると、全体として同じようなデザインにならざるを得ないのである。
【００１１】
従って、従来例のビデオ一体型カメラにおいては、カメラ本体部を小型化すること、小型化して表面積が少なくなっても、各デバイス類を効率よく配設して操作性を良くすること、使用態様がワンパターンにならないようにすることに解決課題を有する。
【００１２】
【課題を解決するための手段】
前記従来例の課題を解決する具体的手段として本発明は、少なくとも、レンズと、ビューファインダーと、操作ボタン群を備えたカメラ本体部と、該カメラ本体部に対して開閉または回転自在に設けられバッテリー収納部を兼ねたグリップ部とを備え、前記バッテリー収納部は、カメラ本体部に対して一つの側面に回転軸を介して垂直方向に回転自在に設けられ、且つ設定された位置でロック状態に維持されるロック機構を備えた磁気記録再生装置であって、前記カメラ本体部におけるカセットテープのセット機構部は、前記グリップ部を納めた時に隠される位置に設けてあることを特徴とする磁気記録再生装置を提供するものである。
【００１３】
本発明においては、前記グリップ部に対してバッテリーを外付け状態で取り付けること；設定された位置は、グリップ部の収納位置と、使用位置と、カセットテープの出し入れ位置であること；ロック機構は、少なくとも、ロック爪部材を備えた摺動リングと、該ロック爪部材が係合する切り欠き部を複数個備えたロックディスクとからなること；およびロック状態を解除できるロック操作ボタンを設けたこと；を付加的な要件として含むものである。
【００１４】
本発明に係る磁気記録再生装置は、カメラ本体部とグリップ部を兼ねたバッテリー収納部とを別体に形成し、該バッテリー収納部は、カメラ本体部に対して一つの側面に回転軸を介して垂直方向に回転自在に設けられ、且つ設定された位置でロック状態に維持されるロック機構を備えた構成にしたことによって、カメラ本体部をより一層小型化でき、しかも、バッテリー収納部をグリップ部として使用できるので、カメラ本体部を小型化してもデザイン上の制約を崩さないで、各デバイス類を効率よく配設して操作性を良くすることができると共に、カメラ本体部を小型化しても、グリップ部を使用時の位置にセットすることで、取り扱いが容易になるのである。
【００１５】
【発明の実施の形態】
次に、本発明を図示の具体的な実施の形態に基づいて詳しく説明する。
まず、図１〜３に示した実施の形態に係る磁気記録再生装置１は、いわゆるビデオ一体型カメラであって、カメラ本体部２の前面側にレンズ部３と、前面側上縁部にマイクロホン４が取り付けられると共に、前面寄りの上面部にストロボ５が出没（起伏）可能に取り付けられており、背面側にはビューファインダー６が上下方向に所定の角度範囲をもって回転できるように取り付けられている。
【００１６】
このカメラ本体部２の一方の側面（右側面）に、バッテリー（電源電池）収納部を兼ねたグリップ部７が回転可能に設けられ、他方の側面（左側面）には液晶パネルからなる表示部８が開閉および回転自在に設けられている。
【００１７】
グリップ部７は、そのケース部分９がカメラ本体部２の前面寄りの側面で且つ下部寄りに軸部１０を介して回転できるように取り付けられ、その回転は垂直方向に、例えば、側面から見て図１に示した収納状態における略水平位置から、図２に示した使用状態の位置、更に、図３に示した磁気テープカセットの出し入れの際に位置させる前方側の略水平位置までの約１８０度の角度範囲で回転できるように取り付けられている。
【００１８】
このグリップ部７は、バッテリー１１の収納（取り付け）を兼ねるものであって、ケース部分９に対してバッテリー１１を一部嵌め込み式で外付け状態に取り付けられるものである。この場合に、ケース部分９に設けた保持手段１２によって、嵌め込まれたバッテリー１１の一部を押さえ込むことにより安定した保持または固定が可能になるのである。従って、保持手段１２を開閉操作することにより、ケース部分９にバッテリー１１を簡単にセットまたは離脱させることができる構成になっている。
【００１９】
また、バッテリー１１が外付け状態で取り付けられることにより、容量の異なるバッテリーを自由に取り替えて使用することができるのである。即ち、同形状でバッテリーの容量を大きくする場合には、必然的に厚みを増すことになるが、その厚みが増したバッテリーでも、グリップ部７のケース部分９側において何ら制約されることなく、取り付けることができるのである。
【００２０】
要するに、グリップ部７には、バッテリーの厚みが厚くても薄くても同じようにセットすることができるのであり、バッテリーの厚みが厚くなればその厚くなった分だけ外部に突出するだけのことであり、また、バッテリーの厚みが増した分グリップ部７の厚みが増して握りの実感がやや太く感ずるだけで、その操作には全く支障をきたさないばかりでなく、グリップ部７の収納時においては、重いバッテリー１１が重心からずれない略中央部側面に位置しているので全体のバランスが良く、また、使用時においては、重いバッテリー１１を手の中に置くことにより操作上のバランスも良くなるのである。
【００２１】
グリップ部７が取り付けられた側面のカメラ本体部２には、軸部１０に近接した位置に操作用のスイッチ群が設けられている。このスイッチ群は、例えば、スタート／ストップスイッチ１３、ズームスイッチ１４、静止画の取り込み用シャッター１５、スーパーナイトショット用のオン・オフスイッチ１６およびナイトショットボタン（スイッチ）１７等であって、これらスイッチ群は、使用者がグリップ部７を右手で握った状態で、例えば、人差し指によって簡単に操作できる位置に設けられている。
【００２２】
更に、グリップ部７が取り付けられた側面のカメラ本体部２には、図２および図３に示したように、カセットテープを出し入れするセット機構部１８が設けられ、該セット機構部１８はグリップ部７を納めた時（図１の状態）に隠される位置に設けられている。
【００２３】
そして、カセットテープのセット機構部１８は、グリップ部７を充分に開いた状態の時、即ち、図３に示した位置まで回転させた時に開閉できるようにしたものであり、図２に示した使用時の位置においては、開閉できないように構成してある。
【００２４】
その開閉できないようにした構成の一例は、グリップ部７におけるケース部分９の軸部１０に近い位置に張り出し部９ａを形成したものであって、該張り出し部９ａが使用時の位置（図２）においては、まだカセットテープのセット機構部１８に重なった状態になるようにしていることから、カセットテープのセット機構部１８の開閉を阻止しているのであり、この位置から更にグリップ部７を開く方向に回転させ、図３に示した位置に来たときに、張り出し部９ａの重なりがカセットテープのセット機構部１８から外れるようにし、その外れた位置においてカセットテープのセット機構部１８の開閉が可能になるのである。
【００２５】
このように構成することにより、カセットテープのセット機構部１８に対するカセットテープの出し入れ作業において、安全性が著しく高まるのである。例えば、グリップ部７が途中まで開いた状態の時でもカセットテープのセット機構部１８が開閉できると、その途中まで開いた状態でカセットテープの出し入れをしようとして、セット機構部１８を開いた時に、セット機構部１８の角がグリップ部７にぶつかったり、或いはグリップ部７との間で指を挟んだりすることがあって、思わぬ怪我をしたりしてトラブルの原因になることを防止するためである。従って、グリップ部７が完全に開いた状態になったときにのみ、カセットテープ収納部１８を開閉できるようにしたので、種々のトラブル発生を未然に防ぐことができる構成にしたのである。
【００２６】
また、グリップ部７の回転動作について、特に、図１に示した収納（不使用）位置に回転させて納める際に、カセットテープのセット機構部１８はカメラ本体部２の表面から僅かに内側に凹んだ状態にあって、グリップ部７と擦れることはないが、カメラ本体部２の背面寄りの端部２ａは、安定した収納状態を維持するために、グリップ部７と接触するように形成されている。この端部２ａの接触部分には、擦れても傷が付かないように、比較的硬質で滑り易い樹脂で形成した保護部材１９が上下方向に配設固定されている。
【００２７】
そして、グリップ部７の収納動作において、グリップ部７を強く回転させても設定した回転角度範囲を越えないように、つまり、図１に示した収納（不使用）位置をオーバーして回転しないように、カメラ本体部２側に横長のストッパー用凸部２０を形成してある。
【００２８】
更に、グリップ部７においては、ケース部分９の上下端縁にゴム等の柔軟性を有する細長の保護部材２１、２２が取り付けられており、該保護部材２１、２２の存在によって、グリップ部７を握った時に滑り止めになると共に、例えば、グリップ部７を図１のように収納した状態で、カメラ本体部２を例えば机上等に置いたときに、下部の保護部材２２がいわゆる脚部となって、グリップ部７が直接机上に接しないようになり、机上を傷つけないし同時に載置した部所が少し傾斜していても滑り止めの役目を果たすのである。
【００２９】
次に、図４に基づきカメラ本体部２に対するグリップ部７の取り付け構造、特にロック機構とグリップ部７の更なる具体的な構成について説明する。
【００３０】
まず、カメラ本体部２を構成する半体部、即ち、キャビネット半体２ｂの前面寄りの側面下部側のコーナー部には、グリップ部７を取り付けるための取付用孔３１が形成されている。グリップ部７は、金属製のケース部分９と、樹脂製のバッテリー収納部分３２とから構成されており、これらを合体させた状態でグリップ部７が構成され、バッテリー収納部分３２には収納部３３が形成されている。そして、ケース部分９には取付基部３３が設けられ、該取付基部には取り付けのための孔部３４が形成されている。
【００３１】
カメラ本体部２とグリップ部７との取り付け構造を構成する部材としては、概ね台形上のグリップベース４０と、リング状を呈し全体として歪みをもってバネ機能を発揮するフリクションバネ４１と、ワッシャー４２と、摺動リング４３と、ロックディスク４４と、ハーネス保護部材４５と、ロックバネ４６と、ロック爪部材４７と、ロック操作ボタン４８とから構成されている。
【００３２】
前記摺動リング４３は、比較的滑りやすい硬質樹脂で形成され、ある程度の高さがあって全体としては筒状を呈し、その上縁部寄りに横方向に張り出して設けられた収納部４３ａが形成されており、該収納部に前記ロックバネ４６とロック爪部材４７とが飛び出し方向に付勢されて収納される構成になっている。
【００３３】
そこで、台形上のグリップベース４０は、取付用孔３１に対してキャビネット半体２ｂの内側に配設され、フリクションバネ４１とワッシャー４２とがキャビネット半体２ｂの外側に配設され、該ワッシャー４２に当接させてケース部分９の取付基部３３を位置させ、該取付基部３３の取付孔３４内に摺動リング４３を嵌め込み、該摺動リング４３の収納部４３ａには、ロックバネ４６とロック爪部材４７とを収納した後に、ロックディスク４４を載置し、ビス等の適宜の固定部材４９により、前記グリップベース４０に固定させる。
【００３４】
そして、樹脂で形成したハーネス保護部材４５をロックディスク４４に装着させると共に、ロック操作ボタン４８をロック爪部材４７に被せるようにして取り付け、バッテリー収納部分３２をケース部分９に合体させて取り付けて固定することにより、摺動リング４３と、ロックディスク４４と、ハーネス保護部材４５と、ロックバネ４６と、ロック爪部材４７と、ロック操作ボタン４８とがグリップ部７側におけるケース部分９の取付基部３３内に収まるのである。
【００３５】
このように取り付けることにより、カメラ本体部２に対してグリップ部７がフリクションバネ４１の反発力による一定の摩擦力をもって回転できるようになるのである。この場合に、ケース部分９における取付基部３３の取付孔３４に嵌め込んだ摺動リング４３は、滑動しない状態で取り付けられてケース部分９と一緒に回転し、グリップベース４０に固定されたロックディスク４４と摺動リング４３との間で滑動回転するのであり、且つその回転は、一定の角度範囲において、クリック感をもって位置決めされロックされるものである。
【００３６】
そのロック機構については、図５〜７を用いて説明する。ロックディスク４４は、全体として円形状を呈し、その中央部にワイヤーハーネスを挿通するための略四角形状を呈する挿通孔４４ａが形成されると共に、固定部材４９で固定するためのネジ孔４４ｂ、４４ｃが設けられている。そして、周縁部には、三個所の位置決め、即ちロック用の切り欠き部５０、５１、５２が設けられている。
【００３７】
これら切り欠き部５０、５１、５２は、略コ字状を呈するものであり１８０度の回転角度範囲において、グリップ部７の収納位置に対応させて切り欠き部５０が設けられ、使用位置に対応させて切り欠き部５１が設けられ、更に、磁気テープカセットの出し入れ位置に対応させて切り欠き部５２が設けられている。この場合に、切り欠き部５０と切り欠き部５２は、ロックディスク４４の中心を通る線上に対向させて形成し、切り欠き部５１は、収納位置の切り欠き部５０の位置から約１００〜１２０度の角度範囲位置に形成してある。
【００３８】
そして、各切り欠き部５０、５１、５２は、前記ロック爪部材４７が係合または嵌まり込む大きさであって、摺動リング４３と接触する側の端縁部をそれぞれ外側に開くテーパー面５０ａ、５１ａ、５２ａに形成してある。また、これら切り欠き部に嵌まるロック爪部材４７は、その係合または嵌まり込む位置に前記テーパー面５０ａ、５１ａ、５２ａと略対応するテーパー状の係合部４７ａが形成されている。
【００３９】
このようにバネ付勢されたロック爪部材４７の係合部４７ａが各切り欠き部５０、５１、５２と係合または嵌合した位置においてロックされるものであり、グリップ部７の収納位置、使用位置および磁気テープカセットの出し入れ位置がロックされて位置決めされるのであり、それらの各位置からグリップ部７を回転させると摺動リング４３が一緒に回転し、固定されている側のロックディスク４４のテーパー面５０ａ、５１ａ、５２ａによって係合部４７ａが押し下げられて回転できるようになるのであり、次の切り欠き部に係合部が係合または嵌合したときに、カチャッと嵌まってクリック感が生じ一応のロックがなされるのである。
【００４０】
また、グリップ部７の取付基部３３側にはロック操作ボタン４８が露出した状態で設けられているので、そのロック操作ボタン４８を軽く押圧することで、ロック爪部材４７がロックバネ４６に抗して押し下げられ、係合部４７ａが各切り欠き部から離脱してロック状態が解放され、フリクションバネ４１の反発力による回転抵抗のみとなるので、グリップ部７の回転操作が比較的容易に行えるのである。
【００４１】
なお、ハーネス保護部材４５は、グリップ部７に取り付けたバッテリー１１からカメラ本体部２に給電するための配線を保護するためのものであり、好ましくは軟質の樹脂材で形成され、配線がロックディスク４４、取付孔３４、および取付用孔３１のエッジ部に接触しないように配設されるものである。
【００４２】
いずれにしても、本発明に係るビデオ一体型カメラの磁気記録再生装置１は、グリップ部７がバッテリー１１の収納部を兼ねているので、カメラ本体部２を小型化することができ、しかも、カメラ本体部２が小型化されても、グリップ部７の存在により持ち難さが解消されるばかりでなく、各部の構成部材、即ち、デバイスの配置の自由度も損なわないし、バッテリー１１の挿着をグリップ部７にしたことにより、放熱面積の確保も充分に行えるのである。
【００４３】
更に、カメラ本体部２に対してグリップ部７を１８０度の回転角度範囲で回転でき、設定した位置決め位置においてロックが可能であり、収納時および使用時等においてそのロック状態が維持されているので、携帯時または使用時において安心できると共に、使用時において、バッテリー１１を手で握ることにより暖められるので使用寿命が延びるという有利さがある。
【００４４】
また、例えば、使用時において、レンズ部をやや上向きにした斜め方向にカメラをセットしたい場合には、その角度に合わせてグリップ部７を開けば、ロック機構が作用しなくてもその開いた角度をフリクションバネ４１の反発力による摩擦力で維持でき、しかも、重いバッテリー１１を取り付けたグリップ部７が一応の支持台として機能するので、カメラ本体２が転倒することなく任意の角度にセットできるのである。
【００４５】
更にまた、使用時において、グリップ部７をカメラ本体部２に収納した状態において、カメラ本体部２を上方から掴むようにして持ち、表示部８を開いてやや上向きにし、その表示部８を見ながらカメラ本体部２を低い位置に構え、人差し指を用いてスタート／ストップスイッチ１３およびズームスイッチ１４等を操作して撮影することができるのである。従って、グリップ部７を持ってカメラ本体部２を上方に構えて使用する場合と、カメラ本体部２を片手で握って低い位置に構えて使用する場合とが可能になるのである。
【００４６】
【発明の効果】
以上説明したように、本発明に係る磁気記録再生装置は、少なくとも、レンズと、ビューファインダーと、操作ボタン群を備えたカメラ本体部と、該カメラ本体部に対して開閉または回転自在に設けられバッテリー収納部を兼ねたグリップ部とを備え、前記バッテリー収納部は、カメラ本体部に対して一つの側面に回転軸を介して垂直方向に回転自在に設けられ、且つ設定された位置でロック状態に維持されるロック機構を備えた磁気記録再生装置であって、前記カメラ本体部におけるカセットテープのセット機構部は、前記グリップ部を納めた時に隠される位置に設けたことにより、カメラ本体部をより一層小型化できて携帯に便利とし、しかも、バッテリー収納部をグリップ部として使用できるので、カメラ本体部を小型化してもデザイン上の制約を崩さないで、各デバイス類を効率よく配設して操作性を良くすることができると共に、カメラ本体部を小型化しても、グリップ部を使用時の位置にセットしロックすることで、取り扱いが著しく容易になるという優れた効果を奏する。
【００４７】
また、バッテリー収納部をグリップ部とし、外付け状態でバッテリーを取り付けることができるので、バッテリーの容量の異なるものでも容易に付け替えることができ、しかも、バッテリーを手で握って使用する状態になるので、バッテリーが暖められて使用寿命が延びるという優れた効果も奏する。
【図面の簡単な説明】
【図１】本発明の実施の形態に係るビデオ一体型カメラの磁気記録再生装置において、グリップ部を納めた状態を示す斜視図である。
【図２】同磁気記録再生装置において、グリップ部を開いた使用状態を示す斜視図である。
【図３】同磁気記録再生装置において、グリップ部を更に開いてカセットテープの出し入れ位置の状態を示す斜視図である。
【図４】同同磁気記録再生装置において、グリップ部の取付機構を分解して示した要部の斜視図である。
【図５】同取付機構におけるロック機構のロックディスクを拡大して示した要部の斜視図である。
【図６】同ロック機構におけるロックディスクとロック爪部材との係合状態を説明するための要部の斜視図である。
【図７】同ロック機構におけるロックディスクとロック爪部材との離脱状態を説明するための要部の斜視図である。
【符号の説明】
１  ビデオ一体型カメラの磁気記録再生装置、  ２  カメラ本体部、
２ａ  背面側の端部、  ２ｂ  キャビネット半体、  ３  レンズ部、
４  マイクロホン、  ５  ストロボ、
６  ビューファインダー、７  グリップ部、  ８  表示部、  ９  ケース部分、
９ａ  張り出し部、  １０  軸部、  １１  バッテリー、  １２  保持手段、
１３  スタート／ストップスイッチ、  １４  ズームスイッチ、
１５  静止画の取り込み用シャッター、
１６  スーパーナイトショット用のオン・オフスイッチ、
１７  ナイトショットボタン、  １８  カセットテープのセット機構部、
１９  保護部材、  ２０  ストッパー用凸部、  ２１、２２  保護部材、
３１  取付用孔、  ３２  バッテリー収納部分、  ３３  取付基部、
３４  取付孔、  ４０  グリップベース、  ４１  フリクションバネ、
４２  ワッシャー、  ４３  摺動リング、  ４３ａ  収納部、
４４  ロックディスク、  ４４ａ  挿通孔、  ４４ｂ、４４ｃ  ネジ孔、
４５  ハーネス保護部材、  ４６  ロックバネ、
４７  ロック爪部材、  ４７ａ  係合部、  ４８  ロック操作ボタン、
４９  ビス等の固定部材、  ５０、５１、５２  切り欠き部、
５０ａ、５１ａ、５２ａ  テーパー面。
【図１】
0003799602.tif 000002
【図２】
0003799602.tif 000003
【図３】
0003799602.tif 000004
【図４】
0003799602.tif 000005
【図５】
0003799602.tif 000006
【図６】
0003799602.tif 000007
【図７】
0003799602.tif 000008